(57)【要約】【課題】後処理デバイスを備えた態様において、記録シートの取扱い操作性を良好に保つことを可能とした画像形成装置を提供する。【解決手段】供給された記録シート４に対して画像を作成する作像モジュール２が収容される画像形成ユニット１と、この画像形成ユニット１に並列配置され且つ画像形成ユニット１から排出された画像形成済みの記録シート４に対して後処理を施す後処理ユニット３とを備え、後処理ユニット３は、ユニットケース３ａの上部に上部排出トレイ５を配設し、この上部排出トレイ５と後処理デバイス６との間に略円弧状のＵターン搬送路７を設け、後処理後の記録シート４をシート進行方向に対してＵターン搬送して上部排出トレイ５へ排出させる。【選択図】　図１
2004069932.tif 000002
【特許請求の範囲】
【請求項１】
供給された記録シートに対して画像を作成する作像モジュールが収容される画像形成ユニットと、この画像形成ユニットに並列配置され且つ画像形成ユニットから排出された画像形成済みの記録シートに対して後処理を施す後処理ユニットとを備え、
後処理ユニットは、ユニットケースの上部に上部排出トレイを配設し、この上部排出トレイと後処理デバイスとの間に略円弧状のＵターン搬送路を設け、後処理後の記録シートをシート進行方向に対してＵターン搬送して上部排出トレイへ排出させることを特徴とする画像形成装置。
【請求項２】
請求項１記載の画像形成装置において、
後処理ユニットは、画像形成ユニットと逆側のユニットケース側部に側部排出トレイを配設し、この側部排出トレイと後処理デバイスとの間に直線搬送路を設け、
上部排出トレイへのＵターン搬送と、側部排出トレイへの直線搬送とを切り換えて行うことにより、後処理後の記録シートを夫々の排出トレイへ排出する切換手段を備えたことを特徴とする画像形成装置。
【請求項３】
請求項２記載の画像形成装置において、
切換手段は、記録シートの使用条件に応じてＵターン搬送路と直線搬送路のいずれかを使用するように設定されることを特徴とする画像形成装置。
【請求項４】
請求項２記載の画像形成装置において、
上部排出トレイ使用時には、記録シートの第一面に偶数頁情報を、第二面に奇数頁情報を記録させ、
側部排出トレイ使用時には、記録シートの第一面に奇数頁情報を、第二面に偶数頁情報を記録させたことを特徴とする画像形成装置。
【請求項５】
請求項１記載の画像形成装置において、
後処理ユニットは、記録シートに記録された画像を定着させる定着デバイスを有することを特徴とする画像形成装置。
【請求項６】
請求項１記載の画像形成装置において、
画像形成ユニットと後処理ユニットとが一体化して設けられたことを特徴とする画像形成装置。
【発明の詳細な説明】
【０００１】
【発明の属する技術分野】
本発明は、複写機やプリンタ等の画像形成装置に係り、特に、画像形成ユニットに後処理ユニットを並列配置したタイプの画像形成装置の改良に関する。
【０００２】
【従来の技術】
一般に、複写機やプリンタ等の画像形成装置のうち、画像形成ユニットに外部装置として後処理ユニットを並列配置する態様にあっては、画像形成が終了し、後処理が施された記録シートの排出部は、後処理ユニットの側部に設けられている（例えば特開平９−３０７１２号公報）。
しかし、このような態様においては、記録シートの排出部が後処理ユニット側方の一箇所に限られていることから、各種記録シートの取扱い操作性に関して以下に述べる技術的課題が生じる。
【０００３】
【発明が解決しようとする課題】
すなわち、このような態様においては、排出部が後処理ユニットの側方であることから、記録シートの画像面を上にして排出する所謂フェースアップ排出が一般的である。
このため、記録シートの画像面を下にして排出する所謂フェースダウン排出をユーザーが望む場合には、例えばインバータ装置等の反転機構を利用することが必要とされる。
しかし、インバータ装置を利用する場合には、反転させる際にシュートのラウンドで記録シートを傷付けるという不具合が生じ、特に、コート紙等の傷付き易い記録シートを使用する場合には、この不具合は顕著となる。
【０００４】
また、このような態様においては、記録シートの排出部が一箇所しかないことから、例えばジャムが発生した場合には、パージ処理による不要な記録シートと、正常に画像が記録された記録シートとが同一の排出トレイに排出されて混在することとなり、ユーザーが不要な記録シートを取り除く作業をしなければならないという不都合が生じ、記録シートの取扱い操作性が低下する。
このような不都合を回避する方法として、例えば画像形成装置の内部に中間トレイが配設されたものにおいて、ジャムが発生した場合に、画像形成装置内に配設された中間トレイをパージ処理による不要記録シートの排出トレイとして使用することが可能である。
しかし、中間トレイに不要記録シートを収容すれば、前記記録シートの混在という不具合は回避できるものの、このままでは画像形成装置を作動させることができないため、中間トレイ内の不要記録シートを取り除いてから再び画像形成装置を作動させることが必要とされる。
従って、中間トレイは、不要記録シートを一時的に収容することができるに過ぎず、その後のユーザーによる記録シートの取扱い操作性低下という不都合は残存する。
【０００５】
更に、記録シートの排出部が装置側方に一箇所しかなく、排出トレイが一個しか配設されていない態様においては、記録シートを仕分けして排出することができない。
この点、特開平９−３０７１２号公報に示す技術にあっては、後処理ユニットに加えて更にソータユニットを付設することにより仕分け排出を可能としているが、例えば二つ程度の簡易な仕分けで足りる場合にもソータユニットを付設しなければならず、装置構成の複雑化及びコストアップに繋がるという技術的課題が生じる。
【０００６】
本発明は、以上の技術的課題を解決するためになされたものであって、後処理デバイスを備えた態様において、記録シートの取扱い操作性を良好に保つことを可能とした画像形成装置を提供するものである。
【０００７】
【課題を解決するための手段】
すなわち、本発明は、図１に示すように、供給された記録シート４に対して画像を作成する作像モジュール２が収容される画像形成ユニット１と、この画像形成ユニット１に並列配置され且つ画像形成ユニット１から排出された画像形成済みの記録シート４に対して後処理を施す後処理ユニット３とを備え、後処理ユニット３は、ユニットケース３ａの上部に上部排出トレイ５を配設し、この上部排出トレイ５と後処理デバイス６との間に略円弧状のＵターン搬送路７を設け、後処理後の記録シート４をシート進行方向に対してＵターン搬送して上部排出トレイ５へ排出させたことを特徴とする。
【０００８】
このような技術的手段において、作像モジュール２としては、図１に示すように、中間転写型のタンデムモジュールに限られるものではなく、各種モジュールを含むものである。
特に、記録シート４に対して両面転写や多重転写を行う作像モジュール２にあっては、片面画像形成済みの記録シート４を直接若しくは反転してサイド転写部へ戻すシート戻し搬送機構等が付設される。
また、後処理デバイス６としては、例えばカール矯正装置（デカーラ）等が挙げられる。
【０００９】
この態様によれば、排出トレイがユニットケース３ａの上部に配設されるため、ユーザーにとって、排出された記録シート４が取扱い易くなり、記録シート４の取扱い操作性が向上する。
また、ユニットケース３ａの上部を利用して上部排出トレイ５を設ければよいため、別ユニットを設けることが不要となり、装置側方に排出部を設ける態様の従来の画像形成装置と比較して、装置設計の簡易化を図ることができる。
尚、上部排出トレイ５の配設個数は、一に限らず、複数設ける態様であってもよい。
【００１０】
また、このような技術的手段において、後処理ユニット３は、画像形成ユニット１と逆側のユニットケース３ａ側部に側部排出トレイ８を配設し、この側部排出トレイ８と後処理デバイス６との間に直線搬送路９を設け、上部排出トレイ５へのＵターン搬送と、側部排出トレイ８への直線搬送とを切り換えて行うことにより、後処理後の記録シート４を夫々の排出トレイへ排出する切換手段を備えることが好ましい。
ここで、切換手段は、記録シート４の使用条件に応じてＵターン搬送路７と直線搬送路９のいずれかを使用するように設定される。
また、記録シート４の使用条件とは、記録シート４の種類（普通紙、フォトペーパー等）、画像情報の種類（白黒画像、カラー画像）のみならず、パージ処理、記録シート４の仕分け等も含まれる。
【００１１】
この態様によれば、ジャムが発生した場合にも、パージ処理による不要な記録シート４を一方の排出トレイ（例えば側部排出トレイ８）へ排出し、正常に画像が形成された記録シート４を他方の排出トレイ（例えば上部排出トレイ５）へ排出することができるため、必要な記録シート４と不要な記録シート４とが混在することを避けることができる。このため、パージ処理の簡易化を図ることができる。
また、両排出トレイと切換手段を使用すれば、記録シート４の簡易な仕分けを行うこともできる。
尚、側部排出トレイ８の配設個数は、一に限らず複数設ける態様であってもよく、特に、側部排出トレイ８を二以上配設すれば、三以上の仕分け排出を行うこともできる。
【００１２】
更に、上部排出トレイ５使用時には、記録シート４の第一面に偶数頁情報を、第二面に奇数頁情報を記録させ、側部排出トレイ８使用時には、記録シート４の第一面に奇数頁情報を、第二面に偶数頁情報を記録させることが好ましい。
記録シート４への記録をこのように行えば、連続頁の画像が記録される場合であっても、頁の並べ替え作業が不要となる。
【００１３】
また、後処理ユニット３は、記録シート４に記録された画像を定着させる定着デバイス１０を有する態様であってもよい。
後処理ユニット３内に定着デバイス１０を設ける場合には、定着デバイス１０の上方に広い空きスペースが生じるが、上部排出トレイ５を配設することにより、上部空間の更なる有効利用を図ることができる。
【００１４】
更に、画像形成ユニット１と後処理ユニット３は、本例のように分離して設けてもよいが、一体化して設けてもよい。
いずれの態様によっても本発明の効果が得られ、画像形成装置を設計する際の自由度が向上する。
【００１５】
【発明の実施の形態】
以下、添付図面に示す実施の形態に基づいて、この発明を詳細に説明する。
◎実施の形態
図２は、本発明が適用された画像形成装置の実施の形態を示す説明図である。
同図において、本実施の形態に係る画像形成装置は所謂タンデム型の中間転写方式を採用した画像形成装置であり、作像モジュール３０が収容された画像形成ユニット２１と、この画像形成ユニット２１に並列配置されて記録シート（図示せず）を画像形成ユニット２１に供給するシート供給ユニット２２と、前記画像形成ユニット２１に並列配置されて画像形成ユニット２１にて画像形成された記録シートに対して後処理を施す後処理ユニット２３とを備えたものである。
【００１６】
本実施の形態において、画像形成ユニット２１は、例えば電子写真方式にて各色成分トナー像（例えばイエロ（Ｙ），マゼンタ（Ｍ），シアン（Ｃ），ブラック（Ｋ））が形成される作像モジュール３０を収容したものであり、この作像モジュール３０は、各色成分トナー像を形成担持する感光体ドラム３１（具体的には３１Ｙ，３１Ｍ，３１Ｃ，３１Ｋ）を並列配置し、各感光体ドラム３１で形成した各色成分トナー像を中間転写ベルト４０に順次一次転写させ、二次転写ロール５０にてシート供給ユニット２２から供給される記録シートに中間転写ベルト４０上の各色成分トナー像を二次転写させ、後処理ユニット２３内の定着器６０に導くようにしたものである。
【００１７】
本実施の形態において、各感光体ドラム３１の周囲には、感光体ドラム３１を帯電する一様帯電器（図示せず）、感光体ドラム３１上に静電潜像を書込むレーザ露光器３３、各色成分トナーが収容されて感光体ドラム３１上の静電潜像を可視像化する現像器３４、感光体ドラム３１上の各色成分トナー像を中間転写ベルト４０に転写せしめる一次転写ロール３５及び感光体ドラム３１上の残留トナーなどを除去するクリーナ３６などの電子写真用デバイスが順次配設されている。
また、中間転写ベルト４０は複数（本例では５つ）の張架ロール４１〜４５に張架されて循環搬送されるものであり、例えば張架ロール４１を駆動ロールとすると共に、他の張架ロール４２〜４５を従動ロールとし、更に張架ロール４２〜４５のうちの任意の張架ロール、例えば張架ロール４３を中間転写ベルト４０に張力が付与せしめられるテンションロールとして機能させるようにしたものである。
そして、本実施の形態では、中間転写ベルト４０の張架ロール４４に対向する部位が二次転写部位として設定されており、この中間転写ベルト４０の二次転写部位表面側には二次転写ロール５０が接触配置され、この二次転写ロール５０とこれに対向する張架ロール４４（バックアップロールとして機能）との間に転写バイアスが印加されるようになっている。
【００１８】
更に、本実施の形態において、シート供給ユニット２２は、特に図２に示すように、多段（本例では３段）のシート供給トレイ７１〜７３を有し、シート供給トレイ７１，７２にはサイズの異なる普通紙からなる記録シートを収容する一方、最下段の大容量シート供給トレイ７３には、塗工紙、厚紙等の曲げ剛性の高い記録シートを含む特殊シートを収容するようにしたものである。
特に、本実施の形態では、シート供給トレイ７１，７２は、画像形成ユニット２１の反対側にフィードロール７４，７５を有し、シート供給トレイ７３は画像形成ユニット２１側にフィードロール７６を有している。
そして、シート供給トレイ７１，７２からのシート搬送路は、シート供給ユニット２２の画像形成ユニット２１の反対側側方から上方へ向かい、上方スペースを利用して画像形成ユニット２１側へと向かった後、下方へと向かう迂回搬送路７７として構成されている。
一方、シート供給トレイ７３からのシート搬送路は、画像形成ユニット２１側へ略直線状に延びる直結搬送路７８として構成されており、この直結搬送路７８及び前記迂回搬送路７７は合流搬送路７９に連通接続され、記録シートを送出口８０から画像形成ユニット２１側へ送出するようになっている。
【００１９】
更に、シート供給ユニット２２の迂回搬送路７７、直結搬送路７８及び合流搬送路７９には対構成の複数の搬送ロール８１が所定間隔毎に設けられている。
特に、シート供給ユニット２２のユニットケース２２０のうち、画像形成ユニット２１の反対側に位置する部分には、迂回搬送路７７に面して開閉するカバー１００が設けられている。
このカバー１００は、例えばユニットケース２２０の奥側を回転支点として回動するものであり、対構成の搬送ロール８１（８１ａ，８１ｂ）のうち従動ロール８１ｂを回動自在に保持するものであり、開放時において搬送ロール８１の駆動ロール８１ａと従動ロール８１ｂとを分離配置するものである。
また、本実施の形態では、シート供給ユニット２２の迂回搬送路７７の水平搬送路部分には、画像形成ユニット２１の反対側に向かって水平方向に延びる連結搬送路１０１が形成されており、この連結搬送路１０１は、例えばシート供給ユニット２２に隣接して別のシート供給ユニット（図示せず）を配設した態様において、別のシート供給ユニットから供給される記録シートを受け入れ、迂回搬送路７７へと案内する搬送路として働いたり、あるいは、シート供給ユニット２２の手差しによる記録シートの挿入部として働くようになっている。
【００２０】
更にまた、本実施の形態では、シート供給ユニット２２の上方に、画像読取りユニット２４及びユーザー操作部２５が配設されている。
尚、画像読取りユニット２４は、原稿台に置かれた原稿の画像を光学的に読み取るものであり、例えば光源、反射ミラー、結像レンズ、ＣＣＤセンサ等から構成される。
【００２１】
また、本実施の形態において、後処理ユニット２３は、図２に示すように、画像形成ユニット２１のユニットケース２１０に開設された記録シートの排出口２１１に対応したユニットケース２３０位置に入口開口２３１を有し、一方、ユニットケース２３０の上部に出口開口２３２を開設し、画像形成ユニット２１の反対側のユニットケース２３０位置には、出口開口２３３を開設している。
そして、出口開口２３２に対応したユニットケース２３０には上部排出トレイ２３４が設けられ、出口開口２３３に対応したユニットケース２３０には側部排出トレイ２３５が取付けられている。
更に、入口開口２３１と出口開口２３２，２３３との間には斜め方向に向かう傾斜搬送路２３６が設けられており、この傾斜搬送路２３６は途中で二つに分岐し、各分岐搬送路にはアップカール矯正用、ダウンカール矯正用のカール矯正装置２３７，２３８が配設されている。
そして、分岐した傾斜搬送路２３６は、カール矯正装置２３７，２３８を経た後、出口開口２３２へ向かうＵターン搬送路２３９と、出口開口２３３へ向かう直線搬送路２４０とで構成される。
また、図３に示すように、後処理ユニット２３は、制御装置２５０を備え、Ｕターン搬送路２３９と直線搬送路２４０との連結部に経路切換用の経路切換ゲート２５１を設けると共に、この経路切換ゲート２５１をソレノイド２５２によって制御することにより、いずれかの搬送路を選択するようになっている。
尚、経路切換ゲート２５１の制御は、本例ではソレノイド２５２を使用しているが、これに限らず、モータ等により駆動切換してもよい。
【００２２】
また、図２に示す後処理ユニット２３内のシート搬送路は、定着器６０から送出された記録シートを反転して再度二次転写部位に戻す経路を備えている。
ここで、本実施の形態では、画像形成ユニット２１内の二次転写部位の上流側に配置された複数（本例では３つ）の対構成からなる搬送斜行ロール８２にてサイド初期位置に、シート供給ユニット２２から供給された記録シートの側端を合わせた後、二次転写部位の手前に配置された対構成のレジストレーションロール（レジストロール）８３にて記録シートを基準位置に揃え且つ位置合わせした状態で二次転写部位へ搬送し、二次転写部位通過後の記録シートを例えば搬送ベルト８４にて定着器６０へと搬送するようにしたものである。
【００２３】
更に、本実施の形態で用いられるシート戻し機構としては、定着器６０から送出された記録シートをループ状の戻し経路８５に沿って適宜数の搬送ロール８６にて搬送するものであるが、戻し経路８５の途中に反転部（本例では後処理ユニット２３内の下部スペースを利用して構成）８７を設け、この反転部８７を介して記録シートを反転させるようにしたものである。
尚、戻し経路８５の一部はシート供給ユニット２２内のスペースを利用し、合流搬送路７９に連通接続されるようになっている。
【００２４】
次に、本実施の形態に係る画像形成装置の作動について説明する。
今、シート供給ユニット２２のシート供給トレイ７１又は７２のいずれかから記録シートが送出されたとすると、この記録シートは迂回搬送路７７及び合流搬送路７９を経て送出口８０から画像形成ユニット２１側へ送出され、搬送斜行ロール８２及びレジストロール８３を経て二次転写部位へ搬送される。
この状態において、作像モジュール３０にて形成されたカラートナー像が記録シートに転写され、転写済みの記録シートは後処理ユニット２３内の定着器６０へ搬送される。
そして、後処理ユニット２３側では、記録シートが傾斜搬送路２３６を経て搬送されるが、この過程において、記録シートにカールが発生している条件下にて例えばカール矯正装置２３７，２３８のいずれかの後処理（カール矯正）が行われ、上部排出トレイ２３４又は側部排出トレイ２３５へ排出される。
【００２５】
また、シート供給トレイ７３から送出される記録シートは塗工紙、厚紙等を含む特殊シートであるが、直結搬送路７８及び合流搬送路７９を経て送出口８０から画像形成ユニット２１側へ送出されるため、特に曲げ変形、ジャム等せずに、二次転写部位に搬送されるようになっている。
【００２６】
このような動作過程において、後処理ユニット２３に着目すると、例えば片面記録を行う場合には、図３に示すように、制御装置２５０により経路切換ゲート２５１を制御し、Ｕターン搬送路２３９又は直線搬送路２４０のいずれかを選択的に使用することができる。
ここで、Ｕターン搬送路２３９を選択して上部排出トレイ２３４へ記録シートを排出する場合には、排出される記録シートは画像面を下にした所謂フェースダウン排出になっているが、記録シートの画像面を上面とした所謂フェースアップ排出を採用する場合には、直線搬送路２４０を選択して側部排出トレイ２３５へ排出するようにすればよい。
また、上部排出トレイ２３４へのシート排出は、Ｕターン搬送路２３９通過時に記録シートの画像面が表裏反転するため、インバータ装置を介することが不要となり、排出制御の簡易化を図ることができるだけでなく、コート紙等の傷付き易いシートに対してもシュートのラウンドで傷付くことを回避することができる。
【００２７】
また、本態様において、ジャム発生時には、制御装置２５０は、経路切換ゲート２５１を制御することにより、一方の排出トレイ（例えば上部排出トレイ２３４）に正常に画像が記録された記録シートを排出し、他方のトレイ（例えば側部排出トレイ２３５）にパージ処理による不要な記録シートを排出する。
すなわち、図４に示すように、印刷が開始され、ジャムが発生すると、画像形成装置の作動が停止する。そして、ユーザーがジャムの原因となった記録シートを取り除くと、制御装置２５０は、使用排出トレイが上部排出トレイ２３４であるか否かを判別する。
そして、使用排出トレイが上部排出トレイ２３４である場合には（本例では上部排出トレイ２３４を使用）、経路切換ゲート２５１は直線搬送路２４０側に設定され、使用排出トレイが側部排出トレイ２３５である場合には、経路切換ゲート２５１はＵターン搬送路２３９側に設定される。
その後、画像形成装置を駆動することにより、取り除かれた記録シートの後続不要記録シートの排出を開始する。
そしてまた、後続不要記録シートの排出が終了すると、ジャム発生後の未記録画像に関して再び印刷が開始される。
このように、本態様によれば、ジャムの原因となった記録シートを取り除く作業を行えば、その後の印刷を開始することができるため、例えば中間トレイを有する画像形成装置において、パージ処理による不要記録シートを中間トレイに排出する態様に比べて、中間トレイに収容された不要記録シートを除去する作業が不要となる分、シートの取扱い操作性が向上する。
【００２８】
更に、本態様において、制御装置２５０は、経路切換ゲート２５１を制御することにより、上部排出トレイ２３４と側部排出トレイ２３５とに記録シートを分けて排出することができ、例えば同一の画像を二部ずつ印刷するような場合には、簡単な仕分け排出が可能となる。
【００２９】
また、このような動作過程において、制御装置２５０は、経路切換ゲート２５１を制御することにより、使用排出トレイを上部排出トレイ２３４又は側部排出トレイ２３５に設定すると共に、使用排出トレイ及び印刷態様（例えば両面印刷又は片面印刷）によって、記録シートへの画像情報の記録を制御するようになっている。
すなわち、図５に示すように、制御装置２５０は、まず、排出トレイとして上部排出トレイ２３４を使用するか否かを判別する。
このとき、上部排出トレイ２３４を使用する場合には、更に、両面印刷を行うか、片面印刷を行うかを判別する。
そして、両面印刷を行う場合には、記録シートの第一面に偶数頁情報が、記録シートの第二面に奇数頁情報が記録される。
【００３０】
一方、使用トレイとして側部排出トレイ２３５を採用する場合にも、更に、両面印刷を行うか、片面印刷を行うかを判別する。
そして、両面印刷を行う場合には、記録シートの第一面に奇数頁情報が、記録シートの第二面に偶数頁情報が記録される。
記録シートへの画像記録をこのように行えば、連続頁の画像が形成される場合であっても、頁の並べ替え作業が不要となる。
尚、制御装置２５０は、必要に応じて記録シートの種類や画像情報の種類によって使用排出トレイを選択するように設定することもできる。
すなわち、例えば傷付き易いフォトペーパー等はＵターン搬送路２３９を介して上部排出トレイ２３４へ排出することにより、インバータ装置を使用せずに所謂フェースダウン排出を行うことができ、比較的傷付き難い普通紙は直線搬送路２４０を介して側部排出トレイ２３５へ排出すれば、記録シートの質を良好に保つことができる。
また、必要に応じて、白黒印刷又はカラー印刷の区別による仕分け排出を行えば、両者が混在して排出されることを防止することもできる。
【００３１】
また、本実施の形態では、画像形成ユニット２１と後処理ユニット２３とが分離して設けられる態様であるが、両ユニットは一体化して設けてもよい。
一体化した態様であっても、分離して設ける態様と同様の効果が得られ、また、画像形成装置の設計の自由度が向上する。
【００３２】
【発明の効果】
以上説明してきたように、本発明によれば、後処理ユニットを備えた態様の画像形成装置において、後処理ユニットのユニットケースの上部に上部排出トレイを設け、上部排出トレイへ記録シートを排出させるようにしたので、ユーザーによる記録シートの取扱い操作性を向上させることができる。
また、ユニットケースの側部に側部排出トレイを設けて、上部排出トレイと側部排出トレイとを選択的に使用するようにすれば、ジャムが発生した場合にも、正常に画像が記録された記録シートを一方の排出トレイへ排出し、パージ処理による不要な記録シートを他方の排出トレイへ排出できるため、両記録シートが混在することを避け、ジャム処理の簡易化を図ることができる。このため、記録シートの人為的な取扱いが更に容易となる。
【図面の簡単な説明】
【図１】本発明に係る画像形成装置の概要を示す説明図である。
【図２】実施の形態に係る画像形成装置の全体構成を示す説明図である。
【図３】実施の形態で用いられる後処理ユニットの制御装置を示す説明図である。
【図４】実施の形態で用いられる後処理ユニットの制御装置による経路切換処理を示すフローチャートである。
【図５】実施の形態に係る画像形成装置の制御装置による画像記録面制御処理を示すフローチャートである。
【符号の説明】
１…画像形成ユニット，２…作像モジュール，３…後処理ユニット，３ａ…ユニットケース，４…記録シート，５…上部排出トレイ，６…後処理デバイス，７…Ｕターン搬送路，８…側部排出トレイ，９…直線搬送路，１０…定着デバイス
【図１】
2004069932.tif 000003
【図２】
2004069932.tif 000004
【図３】
2004069932.tif 000005
【図４】
2004069932.tif 000006
【図５】
2004069932.tif 000007